【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
データ伝送方法であって、
端末装置がパラメータ値リストを記憶することと、
前記端末装置がセッション管理機能（ＳＭＦ）へ第１プロトコルデータユニット（ＰＤＵ）セッションの確立要求メッセージを送信することであって、前記第１ＰＤＵセッションの要求は前記パラメータ値リストにおける少なくとも一つのパラメータ値リストにおける少なくとも一つの値を含むことと、
前記端末装置が前記ＳＭＦから送信された返信メッセージを受信することであって、前記返信メッセージには前記第１ＰＤＵセッションの確立に失敗した要因を示すための拒絶要因値が含まれることと、を含むことを特徴とする、前記データ伝送方法。
【請求項２】
前記パラメータ値リストは、セッション及びサービスの連続性（ＳＳＣ）モードの値リスト、単一のネットワークスライス選択補助情報（Ｓ−ＮＳＳＡＩ）の値リスト、及びデータネットワーク名称（ＤＮＮ）のの値リストのうちの少なくとも一つを含むことを特徴とする
請求項１に記載の方法。
【請求項３】
ユーザー装置ルート選択ポリシー（ＵＲＳＰ）のルールに応じて、前記パラメータ値リストを記憶することを特徴とする
請求項１又は２に記載の方法。
【請求項４】
前記返信メッセージはＳＭＦによって許可されるパラメータを含むことを特徴とする
請求項１〜３いずれか１項に記載の方法。
【請求項５】
前記方法は、更に、
前記端末装置が前記返信メッセージに応答して、前記ＳＭＦへ第二ＰＤＵセッションの確立要求メッセージを送信することを含むことを特徴とする
請求項１〜４のいずれか１項に記載の方法。
【請求項６】
前記端末装置が前記返信メッセージに応答して、前記ＳＭＦへ第二ＰＤＵセッションの確立要求メッセージを送信することは、
前記拒絶要因値が、前記ＳＭＦが第一パラメータの値をサポートしないことを示す場合、前記端末装置が前記第一パラメータの値を調整することと、
前記端末装置が前記返信メッセージに応答して、前記ＳＭＦへ前記第一パラメータの調整された値を有する前記第二ＰＤＵセッションの確立要求メッセージを送信することと、を含むことを特徴とする
請求項５に記載の方法。
【請求項７】
前記第二ＰＤＵセッションの確立要求メッセージを送信するときに、前記第二ＰＤＵセッションの確立要求メッセージの値における拒絶要因に示されたパラメータを除いて、他のパラメータを変更しないことを特徴とする
請求項６に記載の方法。
【請求項８】
前記端末装置が前記返信メッセージに応答して、前記ＳＭＦへ前記第二ＰＤＵセッションの確立要求メッセージを送信することは、
前記拒絶要因値が前記第一パラメータの値をサポートしないことを示す場合、前記パラメータ値リストに基づいて第二パラメータの値を選択することと、
前記端末装置が前記返信メッセージに応答して、前記ＳＭＦへ前記第二パラメータの値を有する前記第二の確立要求メッセージを送信することと、を含むことを特徴とする
請求項５〜７のいずれか１項に記載の方法。
【請求項９】
前記方法は、更に、
前記拒絶要因値が前記第二パラメータの値をサポートしないことを示す場合、前記パラメータ値リストに基づいて第三パラメータの値を選択することと、
前記端末装置が前記返信メッセージに応答して、前記ＳＭＦへ前記第三パラメータの値を有する前記第三の確立要求メッセージを送信することと、を含むことを特徴とする
請求項６又は７に記載の方法。
【請求項１０】
前記拒絶要因値は、ＰＤＵセッションの識別子、ＳＳＣ、データネットワーク名称（ＤＮＮ）及び単一のネットワークスライス選択補助情報（Ｓ−ＮＳＳＡＩ）のうちの少なくとも一つのパラメータの値をサポートしないことを示すことを特徴とする
請求項１〜９のいずれか１項に記載の方法。
【請求項１１】
複数のＳ−ＮＳＳＡＩが存在する場合、前記複数のＳ−ＮＳＳＡＩが優先順位を有し、
複数のＤＮＮが存在する場合、前記複数のＤＮＮが優先順位を有することを特徴とする
請求項１０に記載の方法。
【請求項１２】
前記方法は、更に、
前記端末装置が前記ＳＭＦへ前記パラメータ値リストを送信することを含むことを特徴とする
請求項６又は７に記載の方法。
【請求項１３】
前記拒絶要因値は、前記パラメータ値リストにおける値のいずれもサポートしないことを示すことを特徴とする
請求項１２に記載の方法。
【請求項１４】
端末装置であって、
パラメータ値リストを記憶するように構成されるメモリと、
セッション管理機能（ＳＭＦ）へ第１プロトコルデータユニット（ＰＤＵ）セッションの確立要求メッセージを送信するように構成される送信ユニットであって、前記第１ＰＤＵセッションの要求は前記パラメータ値リストにおける少なくとも一つのパラメータ値リストにおける少なくとも一つの値を含む送信ユニットと、
前記ＳＭＦから送信された返信メッセージを受信するように構成される受信ユニットであって、前記返信メッセージには前記第１ＰＤＵセッションの確立に失敗した要因を示すための拒絶要因値が含まれる受信ユニットと、を備えることを特徴とする、前記端末装置。
【請求項１５】
前記パラメータ値リストは、セッション及びサービスの連続性（ＳＳＣ）モードの値リスト、単一のネットワークスライス選択補助情報（Ｓ−ＮＳＳＡＩ）の値リスト、及びデータネットワーク名称（ＤＮＮ）のの値リストのうちの少なくとも一つを含むことを特徴とする
請求項１４に記載の端末装置。
【請求項１６】
ユーザー装置ルート選択ポリシー（ＵＲＳＰ）のルールに応じて、前記パラメータ値リストを記憶することを特徴とする
請求項１４又は１５に記載の端末装置。
【請求項１７】
前記返信メッセージはＳＭＦによって許可されるパラメータを含むことを特徴とする
請求項１４〜１６いずれか１項に記載の端末装置。
【請求項１８】
前記送信ユニットは、更に、
前記返信メッセージに応答して、前記ＳＭＦへ第二ＰＤＵセッションの確立要求メッセージを送信するように構成されることを特徴とする
請求項１４〜１７のいずれか１項に記載の端末装置。
【請求項１９】
前記送信ユニットは、更に、
前記拒絶要因値が、前記ＳＭＦが第一パラメータの値をサポートしないことを示す場合、前記端末装置が前記第一パラメータの値を調整し、
前記返信メッセージに応答して、前記ＳＭＦへ前記第一パラメータの調整された値を有する前記第二ＰＤＵセッションの確立要求メッセージを送信するように構成されることを特徴とする
請求項１８に記載の端末装置。
【請求項２０】
前記第二ＰＤＵセッションの確立要求メッセージを送信するときに、前記第二ＰＤＵセッションの確立要求メッセージの値における拒絶要因に示されたパラメータを除いて、他のパラメータを変更しないことを特徴とする
請求項１９に記載の端末装置。
【請求項２１】
前記送信ユニットは、更に、
前記拒絶要因値が前記第一パラメータの値をサポートしないことを示す場合、前記パラメータ値リストに基づいて第二パラメータの値を選択し、
前記返信メッセージに応答して、前記ＳＭＦへ前記第二パラメータの値を有する前記第二の確立要求メッセージを送信するように構成されることを特徴とする
請求項１８〜２０のいずれか１項に記載の端末装置。
【請求項２２】
前記送信ユニットは、更に、
前記拒絶要因値が前記第二パラメータの値をサポートしないことを示す場合、前記パラメータ値リストに基づいて第三パラメータの値を選択し、
前記返信メッセージに応答して、前記ＳＭＦへ前記第三パラメータの値を有する前記第三の確立要求メッセージを送信するように構成されることを特徴とする
請求項１９又は２０に記載の端末装置。
【請求項２３】
前記拒絶要因値は、ＰＤＵセッションの識別子、ＳＳＣ、データネットワーク名称（ＤＮＮ）及び単一のネットワークスライス選択補助情報（Ｓ−ＮＳＳＡＩ）のうちの少なくとも一つのパラメータの値をサポートしないことを示すことを特徴とする
請求項１４〜２２のいずれか１項に記載の端末装置。
【請求項２４】
複数のＳ−ＮＳＳＡＩが存在する場合、前記複数のＳ−ＮＳＳＡＩが優先順位を有し、
複数のＤＮＮが存在する場合、前記複数のＤＮＮが優先順位を有することを特徴とする
請求項２３に記載の端末装置。
【請求項２５】
前記送信ユニットは、更に、
前記ＳＭＦへ前記パラメータ値リストを送信するように構成されることを特徴とする
請求項１９又は２０に記載の端末装置。
【請求項２６】
前記拒絶要因値は、前記パラメータ値リストにおける値のいずれもサポートしないことを示すことを特徴とする
請求項２５に記載の端末装置。